(57)【要約】【課題】ユーザが所在位置に応じた放送番組を容易に選択でき、放送番組の内容に沿った体験をリアルタイムで実行できる移動体情報流通システムにおける放送番組提供方法を提供する。【解決手段】放送受信機能を内蔵し、かつ、所在位置に関する情報を取得する機能を有している移動体端末を収容する移動体情報流通システムにおいて、ユーザによる移動体端末での放送の視聴要求に応答して、システムが放送番組をユーザの位置に応じて選別して携帯端末に提供する。【選択図】　　　　図１
2004054349.tif 000002
【特許請求の範囲】
【請求項１】
放送受信機能を内蔵し、かつ、所在位置に関する情報を取得する機能を有している移動体端末を収容する移動体情報流通システムにおいて、ユーザが放送受信を要求すると、システムは当該ユーザの現在位置に応じた放送番組を選択して、当該放送番組の番組情報を当該ユーザに提供する移動体情報流通システムにおける放送番組提供方法。
【請求項２】
放送受信機能を内蔵し、かつ、所在位置に関する情報を取得する機能を有している移動体端末を収容する移動体情報流通システムにおいて、ユーザが移動体端末に放送受信を要求すると、放送番組を管理・提供するシステムは当該ユーザの現在位置に応じた放送番組を選択して、当該放送番組を当該移動体端末に通知し、当該移動体端末は当該放送番組の番組情報を受信してユーザに提供する移動体情報流通システムにおける放送番組提供方法。
【請求項３】
請求項２に記載の移動体情報流通システムにおいて、移動体端末と放送番組を管理・提供するサーバがインターネットで接続される移動体情報流通システムにおける放送番組提供方法。
【請求項４】
放送受信機能を内蔵し、かつ、所在位置に関する情報を取得する機能を有している移動体端末を収容する移動体情報流通システムにおいて、ユーザが移動体端末に放送受信を要求すると、移動体端末は各種放送局から放送番組を取得して、当該放送番組の中から当該ユーザの現在位置に応じた放送番組を選択し、当該放送番組の番組情報を受信してユーザに提供する移動体情報流通システムにおける放送番組提供方法。
【請求項５】
請求項１−４のいずれか一項に記載の移動体情報流通システムにおいて、前記番組情報に加えて当該番組情報に関連する情報も提供する移動体情報流通システムにおける放送番組提供方法。
【請求項６】
請求項１−４のいずれか一項に記載の移動体情報流通システムにおいて、前記放送が無線放送である移動体情報流通システムにおける放送番組提供方法。
【請求項７】
請求項１−４のいずれか一項に記載の移動体情報流通システムにおいて、前記放送が無線放送及びインターネット放送が混在するものである移動体情報流通システムにおける放送番組提供方法。
【請求項８】
請求項６または７に記載の移動体情報流通システムにおいて、前記番組情報に加えて当該番組情報に関連する情報も提供する移動体情報流通システムにおける放送番組提供方法。
【発明の詳細な説明】
【０００１】
【発明の属する技術分野】
本発明は、移動体情報流通システム、特に、放送受信機能を内蔵し、かつ、所在位置に関する情報を取得する機能を有している移動体端末を収容する移動体情報流通システムにおける放送番組提供方法に関するものである。
【０００２】
【従来の技術】
従来の、放送受信機能を内蔵し、かつ、所在位置に関する情報を取得する機能を有している移動体端末を収容する移動体情報流通システムでは、無線放送局あるいはインターネット放送局に関わらず、ユーザが所望する放送局を選択して当該放送局の番組情報を視聴している。
【０００３】
また、従来の、放送受信機能は有していないが、所在位置に関する情報を取得する機能を有している移動体端末を収容する移動体情報流通システムでは、ユーザの所在位置に応じた情報の提供を行っているが、一般的には、その提供情報に動画が少なく、テキストや静止画等による情報提供が行われている。
【０００４】
【発明が解決しようとする課題】
上述したように、従来の、放送受信機能を内蔵し、かつ、所在位置に関する情報を取得する機能を有している移動体端末を収容する移動体情報流通システムでは、ユーザは、ユーザの所在位置に関わらず、多数の放送局の中から放送番組を選択する必要があるので、前記所在位置に応じた放送番組の選択が困難であるとともに、放送番組の内容に沿った体験をリアルタイムで実行することが困難であった。例えば、ユーザが所在する場所での中華料理店の紹介番組が放送されている場合に、当該ユーザはその放送番組の所在を知りにくいので、その番組情報の中で紹介されている中華料理店に入ってお奨めの料理をその場で確認することが困難であった。
【０００５】
また、従来の、放送受信機能は有していないが、所在位置に関する情報を取得する機能を有している移動体端末を収容する移動体情報流通システムでは、一般的には、所在位置に関する提供情報に動画が少なく、有名なタレント等が出演して実際の行動を行う場合も少ないので、臨場感や説得力にも欠け、また、リアルタイム性でも劣っている。
【０００６】
そこで、本発明の目的は、ユーザが所在位置に応じた放送番組を容易に選択でき、該放送番組の内容に沿った体験をリアルタイムで実行することができる移動体情報流通システムにおける放送番組提供方法を提供することにある。
【０００７】
【課題を解決するための手段】
本発明は、放送受信機能を内蔵し、かつ、所在位置に関する情報を取得する機能を有している移動体端末を収容する移動体情報流通システムにおいて、ユーザが放送の視聴を要求すると、システムは放送番組データベースから現時点での放送番組表を取得し、その時点で計測された位置情報に対応する放送番組を抽出して、当該放送番組を提供する放送局を選局して番組情報を取得してユーザに提供する、構成としている。
【０００８】
ここで、放送とは、地上波放送、衛星放送等の無線放送だけでなく、インターネットに接続された放送局が提供するインターネット放送も含まれ、また、テレビ放送だけではなく、ラジオ放送でもよい。
【０００９】
移動体情報流通システムとは、携帯電話装置や携帯端末等を移動体端末として収容する情報流通システムのことである。
【００１０】
更に、ユーザの現在位置に応じた番組情報を提供するとは、例えば、ユーザが横浜中華街の近くにいれば、システムは多数の放送局の番組情報の中から横浜近辺の番組情報を放送している放送局の番組を抽出して、例えば、「中華街食べ歩き」番組をユーザに提供するということである。
【００１１】
そして、番組情報は、移動体端末に対して、無線放送の場合には放送局が放送波を利用して送信したり、インターネット放送の場合にはインターネット局がインターネット経由で送信してもよいし、また、いずれの場合でもインターネットで接続された番組情報提供サーバが送信してもよい。
【００１２】
また、番組情報に関連する情報とは、当該番組の放送時間、番組名、出演者等の情報のことである。
【００１３】
【発明の実施の形態】
以下、本発明の実施形態例を図面により詳細に説明する。
本発明の実施例を実現するためのネットワーク構成例を図１に示す。
【００１４】
移動体端末としての携帯電話装置１，…１ｎは、無線放送局２，…２ｍの番組情報を受信するとともに、インターネット等のネットワーク３を介して番組情報提供サーバ４やインターネット放送局５，…５Ｍに接続されている。
【００１５】
本発明の実施例を実現するための携帯電話装置１，…１ｎ及び番組情報提供サーバ４の構成例をそれぞれ図２及び図３に示す。図２において、１０は無線放送アンテナ部、１１はグローバルポジショニングシステム（ＧＰＳ）アンテナ部、１２は無線放送受信部、１３はＧＰＳ処理部、１４は回線制御部、１５は通信管理部、１６はオペレーティングシステム（ＯＳ）、１７はスピーカ部、１８はディスプレイ部、１９は入力部をそれぞれ表している。
【００１６】
図３に示す番組情報提供サーバ４おいて、２０は回線制御部、２１は通信管理部、２２は位置情報管理部、２３は番組情報管理部、２４はＯＳをそれぞれ表している。
【００１７】
第１の実施例では、ユーザが携帯電話装置１にて当該ユーザの所在位置に応じた放送番組の受信を要求すると、番組情報提供サーバ４が当該ユーザの現在位置に応じた放送番組を選択して、当該放送番組をユーザの携帯電話装置１に通知し、当該携帯電話装置１が当該放送番組の番組情報を受信してユーザに提供する場合について、無線放送局２が当該番組情報を送信する場合の実施例を示す。
【００１８】
先ず、ユーザが携帯電話装置１の入力部１９から放送番組の放送受信を要求すると、当該要求は通信管理部１５に通知される。この受信要求に応答して通信管理部１５は、ＧＰＳ処理部１３にユーザの現在位置を要求する。ＧＰＳ処理部１３は、従来技術と同様に、ＧＰＳ衛星からの信号をＧＰＳアンテナ部１１にて受信して緯度経度情報を取得し、当該緯度経度情報を通信管理部１５に通知する。通信管理部１５は、当該緯度経度情報を回線制御部１４に通知する。回線制御部１４は、当該緯度経度情報をインターネット経由で番組情報提供サーバ４に通知する。
【００１９】
番組情報提供サーバ４では、回線制御部２０がインターネット経由で携帯電話装置１からの前記緯度経度情報を受信すると、通信管理部２１に当該緯度経度情報を通知する。通信管理部２１は、当該緯度経度情報を位置情報管理部２２に通知する。位置情報管理部２２では、位置変換情報を当該緯度経度情報で参照して位置情報を抽出し、当該位置情報を通信管理部２１に通知する。ここで、位置変換情報の構成例を図４に示す。通信管理部２１は、位置情報管理部２２にて抽出した位置情報を番組情報管理部２３に通知する。番組情報管理部２３は当該位置情報を受信すると、ＯＳ２４から現在時刻を取得する。そして、番組情報管理部２３は、それが保有している放送番組のデータベースにより番組情報を当該時刻及び前記位置情報で参照して、対応する放送番組のチャンネル番号、放送時間帯及び番組名を抽出して、当該チャンネル番号、当該放送時間帯及び当該番組名を通信管理部２１に通知する。ここで、番組情報の構成例を図５に示す。この例では、地上波Ｘチャンネルの放送局が１０：００から１２：００の時間帯には「横浜中華街食べ歩き」番組を、或るインターネットアドレスのインターネット放送局は、１０：００から１１：００の時間帯に「横浜中華街料理店紹介」番組を放送していることを示している。通信管理部２１は、番組情報管理部２３にて抽出した前記チャンネル番号、放送時間帯及び番組名を回線制御部２０に通知する。回線制御部２０は、当該チャンネル番号、当該放送時間帯及び当該番組名をインターネットを経由して前記携帯電話装置１に送信する。
【００２０】
携帯電話装置１では、回線制御部１４が番組情報提供サーバ４からインターネット経由で送信された前記チャンネル番号、放送時間帯及び番組名を通信管理部１５に通知する。通信管理部１５は、当該チャンネル番号を無線放送受信部１２に通知するとともに、当該放送時間帯及び当該番組名をディスプレイ部１８に通知する。ディスプレイ部１８は、当該放送時間帯及び当該番組名を表示する。無線放送受信部１２は、当該チャンネル番号の放送局が放送している放送番組に同調して受信した放送番組を通信管理部１５に通知する。通信管理部１５は、当該放送番組の中で視覚情報はディスプレイ部１８へ通知し、聴覚情報はスピーカ部１７に通知する。ディスプレイ部１８は、当該視覚情報を表示し、スピーカ部１７は、当該聴覚情報を出力する。
【００２１】
ここで、上述したような携帯電話装置１における放送番組提供処理のフローチャートの例を図６に示し、また、番組情報提供サーバ４における番組情報提供処理のフローチャートの例を図７に示す。
【００２２】
上記実施例では、移動体端末として携帯電話装置について説明したが、携帯端末等に関しても同様の機能を持つことにより実現可能である。
【００２３】
また、上記実施例では、携帯電話装置１が、放送番組をインターネット３に接続された番組情報提供サーバ４からのチャンネル番号、放送時間帯及び番組名に基づいて取得する場合の実施例を示したが、携帯電話装置は、各種無線放送局が送信する放送番組を受信して、上記と同様の後続の処理を行うことも可能である。
【００２４】
更に、上記実施例では、番組情報提供サーバ４が携帯電話装置１からインターネット３を経由して送信された緯度経度情報から位置情報への変換を行う場合の実施例を示したが、番組情報提供サーバ４が持つ位置情報管理部２２による緯度経度情報から位置情報への変換機能を携帯電話装置１に持たせることにより、上記変換処理を携帯電話装置１で行うことも可能である。
【００２５】
第２の実施例では、ユーザが携帯電話装置１にて放送受信を要求すると、番組情報提供サーバ４が当該ユーザの現在位置に応じた放送番組を選択して、当該放送番組を当該携帯電話装置１に通知し、当該携帯電話装置１が当該放送番組の番組情報を受信してユーザに提供する場合について、インターネット放送局５が当該番組情報を送信する場合の実施例を示す。
【００２６】
この第２実施例では、前記第１実施例において、番組情報提供サーバ４内の番組情報管理部２３にて、番組情報よりインターネット放送局５が抽出された場合に、チャンネル番号の代わりに当該インターネット放送局５のインターネットアドレスが抽出され、当該インターネットアドレスを携帯電話装置１に通知し、携帯電話装置１では、回線制御部１４が当該インターネットアドレスにアクセスして当該インターネット放送局５の放送番組をインターネット経由で受信することにより、ユーザに当該インターネット放送局５による放送番組の番組情報を提供することができる。
【００２７】
【発明の効果】
以上説明したように、本発明によれば、放送受信機能を内蔵し、かつ、所在位置に関する情報を取得する機能を有する移動体端末を収容する移動体情報流通システムにおいて、ユーザは、所在位置に応じた放送番組の選択が容易になり、また、臨場感に溢れ、説得力のある情報提供になるとともに、放送番組の内容と同様の体験がリアルタイムで行えるので娯楽性の向上が可能となる。
【図面の簡単な説明】
【図１】本発明の実施例を実現するためのネットワーク構成例を示す図である。
【図２】本発明の実施例を実現するための携帯電話装置の構成例を示すブロック図である。
【図３】本発明の実施例を実現するための番組情報提供サーバの構成例を示すブロック図である。
【図４】番組情報提供サーバにおける位置変換情報の構成例を示す図である。
【図５】番組情報提供サーバにおける番組情報の構成例を示す図である。
【図６】携帯電話装置における放送番組提供処理のフローチャートの例を示す図である。
【図７】番組情報提供サーバにおける番組惜鞭提供処理のフローチャートの例を示す図である。
【符号の説明】
１…１ｎ　携帯電話装置
２…２ｍ　無線放送局
３　インターネット
４　番組情報提供サーバ
５…５Ｍ　インターネット放送局
１０　無線放送アンテナ部
１１　ＧＰＳアンテナ部
１２　無線放送受信部
１３　ＧＰＳ処理部
１４　回線制御部
１５　通信管理部
１６　オペレーティングシステム（ＯＳ）
１７　スピーカ部
１８　ディスプレイ部
１９　入力部
２０　回線制御部
２１　通信管理部
２２　位置情報管理部
２３　番組情報管理部
２４　ＯＳ
【図１】
2004054349.tif 000003
【図２】
2004054349.tif 000004
【図３】
2004054349.tif 000005
【図４】
2004054349.tif 000006
【図５】
2004054349.tif 000007
【図６】
2004054349.tif 000008
【図７】
2004054349.tif 000009